(57)【要約】【課題】商品陳列棚の商品陳列面の角度を、水平状態と後方上がりに傾斜する傾斜状態とに変更する場合、その変更作業を手間をかけず容易に行えるようにする。【解決手段】ブラケット１２に前後方向スライド可能に取付けられる商品陳列棚１３と、押上部１４ａを有して商品陳列棚に上下方向回動可能に取付けられ、商品陳列棚を後方側にスライドさせた場合に押上部が上方位置に回動し、商品陳列棚を前方側にスライドさせた場合に押上部が下方位置に回動する押上部材１４と、商品陳列棚に第１位置と第２位置とに前後方向位置調節可能に取付けられる被押上部材１５とを有し、被押上部材が第１位置に位置する場合に商品陳列棚が後方側にスライドすることにより被押上部材が押上部により押し上げられて商品陳列棚が後方上がりに傾斜し、被押上部材が第２位置に位置する場合に商品陳列棚が後方側にスライドしても商品陳列棚は略水平に位置する。【選択図】図５
2018175536.tif 000002
【特許請求の範囲】
【請求項１】
内部に商品陳列室を有し、前面に開口を有するショーケース本体と、
前記商品陳列室内に配置され、後端部が前記ショーケース本体に取付けられて前端部が前記開口に向けて略水平向きに延出する少なくとも左右一対のブラケットと、
商品が陳列される商品陳列面を有し、前記ブラケットに前後方向スライド可能に取付けられる商品陳列棚と、
押上部を有して前記商品陳列棚に上下方向回動可能に取付けられ、前記商品陳列棚を後方側にスライドさせた場合に前記押上部が上方に位置する上方位置に回動し、前記商品陳列棚を前方側にスライドさせた場合に前記押上部が下方に位置する下方位置に回動する押上部材と、
前記商品陳列棚に第１位置と第２位置とに前後方向位置調節可能に取付けられる被押上部材とを有し、
前記被押上部材が第１位置に位置する場合に前記商品陳列棚が後方側にスライドすることにより前記被押上部材が前記押上部により押し上げられて前記商品陳列棚は前記商品陳列面が後方上がりに傾斜する位置に回動し、前記被押上部材が第２位置に位置する場合に前記商品陳列棚が後方側にスライドしても前記被押上部材は前記押上部に押し上げられずに前記商品陳列棚は前記商品陳列面が略水平となるように位置することを特徴とするショーケース。
【請求項２】
前記被押上部材は、前記商品陳列棚の商品陳列面の側部に配置されていることを特徴とする請求項１記載のショーケース。
【発明の詳細な説明】
【技術分野】
【０００１】
本発明は、商品陳列室内に商品陳列棚が設けられ、その商品陳列棚の商品陳列面の傾きを変更可能なショーケースに関する。
【背景技術】
【０００２】
従来、スーパーマーケットやコンビニエンスストア等の店舗では、商品陳列室内に商品陳列棚を設け、その商品陳列棚の商品陳列面上に各種の商品を陳列するようにしたショーケースが使用されている。このようなショーケースにおいては、商品陳列面上に商品を陳列する作業を容易にするため、商品陳列棚を前後方向スライド可能とし、前方に引き出した位置で商品を陳列するようにしたものが知られている。
【０００３】
また、商品陳列面上に商品を陳列する場合、陳列する商品の種類や陳列する商品の量に応じて、商品陳列面を水平状態にしたい場合と、商品陳列面を後方上がりに傾斜させたい場合とがある。商品陳列面の傾きを水平状態と傾斜状態とに変更可能としたショーケースとしては、下記特許文献１に記載されたものが知られている。
【０００４】
下記特許文献１に記載されたショーケースでは、断面形状がＬ字形の陳列台板を設け、この陳列台板を棚板上に載置する場合、表裏を反転させることにより、商品陳列面を水平状態、又は、後方上がりに傾斜した状態としている。
【先行技術文献】
【特許文献】
【０００５】
【特許文献１】特開２００７−２４４５５２号公報
【発明の概要】
【発明が解決しようとする課題】
【０００６】
しかしながら、特許文献１に記載されたショーケースでは、陳列台板の商品陳列面の傾きを水平状態と傾斜状態とに変更する場合には、陳列台板上に載っている商品を全て降ろした後に陳列台板を表裏反転させなければならず、多大な手間が掛かっている。
【０００７】
本発明は、このような課題を解決するためになされたものであり、その目的は、商品陳列棚における商品が載置される商品陳列面の傾きを、水平状態と後方上がりに傾斜する傾斜状態とに変更する場合、その変更作業を手間をかけず容易に行うことができるショーケースを提供することである。
【課題を解決するための手段】
【０００８】
本発明に係るショーケースは、内部に商品陳列室を有し、前面に開口を有するショーケース本体と、前記商品陳列室内に配置され、後端部が前記ショーケース本体に取付けられて前端部が前記開口に向けて略水平向きに延出する少なくとも左右一対のブラケットと、商品が陳列される商品陳列面を有し、前記ブラケットに前後方向スライド可能に取付けられる商品陳列棚と、押上部を有して前記商品陳列棚に上下方向回動可能に取付けられ、前記商品陳列棚を後方側にスライドさせた場合に前記押上部が上方に位置する上方位置に回動し、前記商品陳列棚を前方側にスライドさせた場合に前記押上部が下方に位置する下方位置に回動する押上部材と、前記商品陳列棚に第１位置と第２位置とに前後方向位置調節可能に取付けられる被押上部材とを有し、前記被押上部材が第１位置に位置する場合に前記商品陳列棚が後方側にスライドすることにより前記被押上部材が前記押上部により押し上げられて前記商品陳列棚は前記商品陳列面が後方上がりに傾斜する位置に回動し、前記被押上部材が第２位置に位置する場合に前記商品陳列棚が後方側にスライドしても前記被押上部材は前記押上部に押し上げられずに前記商品陳列棚は前記商品陳列面が略水平となるように位置することを特徴とする。
【０００９】
また、上述のショーケースにおいて、前記被押上部材は、前記商品陳列棚の商品陳列面の側部に配置されていることが好ましい。
【発明の効果】
【００１０】
被押上部材を第１位置に位置させ、商品陳列棚を後方側にスライドさせると、このスライドに伴って押上部材が上方位置に回動し、回動した押上部材の押上部が被押上部を押し上げ、商品陳列棚は商品陳列面が後方上がりに傾斜する位置に回動する。一方、被押上部材を第２位置に位置させ、商品陳列棚を後方側にスライドさせると、このスライドに伴って押上部材が上方位置に回動するが、被押上部材は押上部により押し上げられないので、商品陳列棚は商品陳列面が略水平となる位置に維持される。即ち、商品陳列面が後方上がりに傾斜する位置と略水平となる位置とへの商品陳列棚の傾きの変更は、商品陳列棚を前方側へスライドさせ、ついで、被押上部材を第１位置又は第２位置へ位置調節し、ついで、商品陳列棚を後方側へスライドさせることにより行うことができる。このため、商品陳列面が後方上がりに傾斜する位置と略水平となる位置とへ商品陳列棚の傾きを変更する作業は、商品陳列面上に商品を載せたまま手間をかけずに容易に行うことができる。
【００１１】
また、被押上部材は商品陳列面の側部に配置されており、商品陳列面上に多量の商品が陳列されている場合でも被押上部材の操作を容易に行うことができる。
【図面の簡単な説明】
【００１２】
【図１】ショーケースを示す断面側面図である。
【図２】被押上部材が第２位置に位置し、後方側にスライドした商品陳列棚の商品陳列面が略水平となっている状態を示す側面図である。
【図３】図２に示す状態から、商品陳列棚を前方側にスライドさせた状態を示す側面図である。
【図４】図３に示す状態から被押上部材を第１位置に変更した状態を示す側面図である。
【図５】図４に示す状態から、商品陳列棚を後方側にスライドさせることにより商品陳列棚が回動し、商品陳列面が後方上がりに傾斜した状態を示す側面図である。
【発明を実施するための形態】
【００１３】
本発明の一実施形態について、図面に基づいて説明する。図１はショーケース１を示す断面側面図である。このショーケース１は、前面に開口２が形成されるとともに内部に商品陳列室３が形成され、さらに、商品陳列室３の周囲にダクト４が形成されたショーケース本体５を有している。商品陳列室３とダクト４との間は、仕切板６により仕切られている。
【００１４】
ダクト４内には、送風機７と冷却器８とが設けられている。ダクト４内の空気が送風機７により送風され、送風された空気が冷却器８により冷やされて冷気となり、この冷気がダクト４内を矢印で示す方向に流れる。ダクト４内を流れた冷気は、ダクト４の上部に形成された吹出口９から下向きに吹出し、開口２を覆う冷気のエアカーテンを形成する。エアカーテンを形成した冷気はダクト４の下部に形成された吸込口１０からダクト４内に吸込まれ、冷却器８により再び冷やされる。
【００１５】
商品陳列室３内には、上下方向に複数段の商品陳列部１１が設けられている。これらの商品陳列部１１は、ブラケット１２と、商品陳列棚１３と、押上部材１４と、被押上部材１５とを備えている。
【００１６】
ブラケット１２は、左右で平行に対向して位置する一対が一組となって設けられており、これらのブラケット１２は後端部がショーケース本体５の一部である仕切板６に取付けられている。また、これらのブラケット１２の前端部は、開口２に向けて略水平向きに延出している。
【００１７】
商品陳列棚１３は、平行に対向して位置する２つのブラケット１２に跨って設けられており、商品が陳列される商品陳列面１３ａと、商品陳列面１３ａの左右両側に位置する手摺部１３ｂとを有し、図示しないスライドレールを介してブラケット１２に前後方向スライド可能に取付けられている。また、商品陳列棚１３の前端部側にはスライドロックレバー１７が設けられており、このスライドロックレバー１７が図２の実線で示すロック位置に位置する場合には、商品陳列棚１３及びスライドレールは前後方向にスライドすることが規制されている。一方、スライドロックレバー１７が図２において二点鎖線で示すロック解除位置に回動操作された場合には、商品陳列棚１３及びスライドレールは前後方向へスライドすることが可能となる。
【００１８】
押上部材１４は押上部１４ａを有しており、商品陳列棚１３の下面側に支軸１８を介して上下方向回動可能に取付けられている。ブラケット１２の後端部には、押上部材１４を上下方向に回動させるためのガイド１９が設けられている。図３に示すように商品陳列棚１３と押上部材１４とが前方に位置する状態から後方側へスライドさせると、押上部材１４の後端側に設けられている突部１４ｂがガイド１９に係合し、その後も商品陳列棚１３と押上部材１４とが引き続き後方側へスライドさせることにより、押上部材１４は図３に示す下方位置から図２に示す上方位置へ支軸１８を支点として回動する。この回動により、押上部１４ａが上方に移動する。
【００１９】
被押上部材１５は、商品陳列棚１３の左右両側の手摺部１３ｂに取付けられ、図２及び図３に示す第２位置と、図４及び図５において示す第１位置とに移動可能に設けられている。手摺部１３ｂには前後に一対の位置決め孔２０ａ、２０ｂが形成されており、被押上部材１５にはこれらの位置決め孔２０ａ、２０ｂに係合する突部１５ａが設けられている。そして、被押上部材１５が第２位置に位置する場合には、突部１５ａが後方側の位置決め孔２０ｂに係合されている。また、被押上部材１５が第１位置に位置する場合には、突部１５ａが前方側に位置する位置決め孔２０ａに係合されている。
【００２０】
このような構成において、このショーケース１では、商品陳列面１３ａに陳列する商品の種類や量に応じて商品陳列棚１３の傾きを変更することができ、商品陳列面１３ａが略水平状態となる位置、又は、商品陳列面１３ａが後方上がりの傾斜状態となる位置に変更することができる。図１に示す状態では、上側４段の商品陳列部１１では商品陳列棚１３及び商品陳列面１３ａが略水平向状態となり、下側４段の商品陳列部１１では商品陳列棚１３及び商品陳列面１３ａが後方上がりの傾斜状態となっている。
【００２１】
商品陳列棚１３の傾きを、図２に示すように商品陳列面１３ａが略水平向きの状態から図５に示すように後方上がりの傾斜状態に変更する場合の操作手順について以下に説明する。
【００２２】
まず、図２に示す状態では、被押上部材１５は第２位置に位置しており、被押上部材１５の突部１５ａは後方側の位置決め孔２０ｂに係合されている。また、押上部材１４は上方位置に回動しており、押上部１４ａは上方に位置している。しかし、被押上部材１５の被押上部１５ｂは押上部１４ａにより押し上げられない位置に位置しており、商品陳列棚１３及び商品陳列面１３ａは略水平状態となっている。また、スライドロックレバー１７は実線で示すロック位置に位置し、商品陳列棚１３及びスライドレールの前後方向のスライド動作は規制されている。
【００２３】
つぎに、スライドロックレバー１７を図２において二点鎖線で示すロック解除位置に回動操作し、商品陳列棚１３及びスライドレールを前後方向にスライド可能とし、図３に示すように、商品陳列棚１３とスライドレールとを前方側（矢印Ａ方向）へスライドさせる。このスライドにより、突部１４ｂとガイド１９との係合が解除され、押上部材１４は支軸１８の回りに回動し、下方位置に移動する。
【００２４】
図３に示すように商品陳列棚１３とスライドレールとを前方側にスライドさせた後、図４に示すように被押上部材１５を第１位置に移動させ、被押上部材１５の突部１５ａを前方側の位置決め孔２０ａに係合させる。その後、商品陳列棚１３と押上部材１４とを矢印Ｂ（図５）で示すように後方側にスライドさせる。
【００２５】
このスライドにより、押上部材１４の突部１４ｂがブラケット１２に設けられたガイド１９に係合し、突部１４ｂがガイド１９に係合した後も引き続き商品陳列棚１３と押上部材１４とが後方側へスライドさせると、押上部材１４は支軸１８を支点として上方位置に回動し、押上部１４ａが上方に移動する。そして、押上部１４ａが上方に移動することにより、押上部１４ａが被押上部材１５の被押上部１５ｂに当たり、被押上部材１５が上方に押し上げられる。そして、被押上部材１５と共に商品陳列棚１３も押し上げられ、商品陳列棚１３は支軸１８の回りに回動し、商品陳列棚１３及び商品陳列面１３ａが後方上がりとなるように傾斜する。
【００２６】
ここで、商品陳列棚１３の傾きを変更する場合、変更する作業者は商品陳列棚１３を前方側にスライドさせた後、商品陳列棚１３の手摺部１３ｂに設けられている被押上部材１５を第１位置又は第２位置に移動させ、ついで、商品陳列棚１３を後方側へスライドさせればよい。従って、この傾きを変更する作業を、商品陳列面１３ａ上に商品を載せたまま手間をかけずに容易に行うことができる。
【００２７】
さらに、商品陳列棚１３の傾きを変更する場合は、商品陳列棚１３を前方側にスライドさせた後に被押上部材１５を第１位置又は第２位置に移動させることが可能となるため、傾きを変更する作業時における被押上部材１５の誤操作を防止することができる。
【００２８】
また、商品陳列棚１３の傾きを変更する場合、商品陳列棚１３の商品陳列面１３ａ上に商品が載っている状態でも行う事ができる。このため、商品陳列棚１３の傾きを変更する場合、商品陳列面１３ａ上に載っている商品を商品陳列面１３ａ上から降ろす必要がなく、商品陳列棚１３の傾きを変更する作業を手間をかけず容易に迅速に行うことができる。しかも、傾きを変更する場合に操作する部材である被押上部材１５が商品陳列棚１３の両側の手摺部１３ｂに設けられているため、商品陳列面１３ａ上に商品が満載されている場合であっても被押上部材１５を容易に操作することができ、商品陳列棚１３の傾きの変更を容易に行うことができる。
【符号の説明】
【００２９】
１      ショーケース
２      開口
３      商品陳列室
４      ダクト
５      ショーケース本体
６      仕切板
７      送風機
８      冷却器
９      吹出口
１０      吸込口
１１      商品陳列部
１２      ブラケット
１３      商品陳列棚
１３ａ    商品陳列面
１３ｂ    手摺部
１４      押上部材
１４ａ    押上部
１４ｂ    突部
１５      被押上部材
１５ａ    突部
１５ｂ    被押上部
１７      スライドロックレバー
１８      支軸
１９      ガイド
２０ａ、２０ｂ  位置決め孔
【図１】
2018175536.tif 000003
【図２】
2018175536.tif 000004
【図３】
2018175536.tif 000005
【図４】
2018175536.tif 000006
【図５】
2018175536.tif 000007